(57)【要約】  この地域特性表示装置は、屋外に設置された設備の状態、および位置を認識可能な情報の入力を受け付ける入力部と、入力部に対して入力された状態および位置を認識可能な情報と、地域特性のデータとに基づいて、状態の分布を地域特性のデータと合わせて地図に重畳させて表示部に表示させる表示制御部と、を備える。
2016088173.tif 000002
【特許請求の範囲】
【請求項１】
屋外に設置された設備の状態、および位置を認識可能な情報の入力を受け付ける入力部と、
前記入力部に対して入力された状態および位置を認識可能な情報と、地域特性のデータとに基づいて、前記状態の分布を前記地域特性のデータと合わせて地図に重畳させて表示部に表示させる表示制御部と、
を備える地域特性表示装置。
【請求項２】
前記位置は、前記設備が設置されている場所であり、
前記状態は、前記設備が前記位置に設置されてから所定の年数経過した後の故障の状態であり、
前記地域特性のデータは、粗度長分布図における粗度長である、
請求項１に記載の地域特性表示装置。
【請求項３】
前記設備は電力設備である
請求項１に記載の地域特性表示装置。
【請求項４】
前記位置は、前記設備が設置されている場所であり、
前記状態は、前記設備が前記位置に設置されてから所定の年数経過した後の故障の状態であり、
前記地域特性のデータは、粗度長分布図における粗度長である、
請求項３に記載の地域特性表示装置。
【請求項５】
入力部が屋外に設置された設備の状態、および位置を認識可能な情報の入力を受け付ける入力工程と、
表示制御部が前記入力部に対して入力された状態および位置を認識可能な情報と、地域特性のデータとに基づいて、前記状態の分布を前記地域特性のデータと合わせて地図に重畳させて表示部に表示させる表示制御工程と、
を備える地域特性表示装置の制御方法。
【請求項６】
前記設備は電力設備である
地域特性表示装置の制御方法。
【発明の詳細な説明】
【技術分野】
【０００１】
本発明は、地域特性表示装置および地域特性表示装置の制御方法に関する。
【背景技術】
【０００２】
電力設備の状態を検出し、検出結果を表示部に表示させる電力設備の状態検出装置が、特許文献１に記載されている。【０００３】
しかし、電力設備の状態の分布を、電力装置が配置される場所の風の流れやすさなどの環境条件の地域特性のデータと合わせて地図に重畳させて表示部に表示させる地域特性表示装置がないため、表示結果に基づき、電力設備の設計基準を変更するといった評価判断ができないという欠点があった。
【先行技術文献】
【特許文献】
【０００４】
【特許文献１】特開２０１３‐０８９１８６号公報
【発明の概要】
【発明が解決しようとする課題】
【０００５】
本発明が解決しようとする課題は、設備の状態の分布と地域特性とを容易に比較させるための画像を提供することである。
【課題を解決するための手段】
【０００６】
本発明は、屋外に設置された設備の状態、および位置を認識可能な情報の入力を受け付ける入力部と、前記入力部に対して入力された状態および位置を認識可能な情報と、地域特性のデータとに基づいて、前記状態の分布を前記地域特性のデータと合わせて地図に重畳させて表示部に表示させる表示制御部と、を備える地域特性表示装置である。【０００７】
また、本発明において、前記位置は、前記設備が設置されている場所であり、前記状態は、前記設備が前記位置に設置されてから所定の年数経過した後の故障の状態であり、前記地域特性のデータは、粗度長分布図における粗度長である。【０００８】
また、本発明において、前記設備は電力設備である。【０００９】
また、本発明において、前記位置は、前記設備が設置されている場所であり、前記状態は、前記設備が前記位置に設置されてから所定の年数経過した後の故障の状態であり、前記地域特性のデータは、粗度長分布図における粗度長である。【００１０】
また、本発明は、入力部が屋外に設置された設備の状態、および位置を認識可能な情報の入力を受け付ける入力工程と、表示制御部が前記入力部に対して入力された状態および位置を認識可能な情報と、地域特性のデータとに基づいて、前記状態の分布を前記地域特性のデータと合わせて地図に重畳させて表示部に表示させる表示制御工程と、を備える地域特性表示装置の制御方法である。【００１１】
また、本発明において、前記設備は電力設備である。
【発明の効果】
【００１２】
本発明の地域特性表示装置は、表示制御部が、入力部に対して入力された状態および位置を認識可能な情報と、地域特性のデータとに基づいて、状態の分布を地域特性のデータと合わせて地図に重畳させて表示部に表示させるため、設備の状態の分布と地域特性とを容易に比較させるための画像を提供することができる。また、地域特性表示装置が、表示部に表示させた表示結果に基づき、設備の設計基準を変更するといった評価判断ができるようになる。
【図面の簡単な説明】
【００１３】
【図１】地域特性表示装置１の構成を示した図である。
【図２】電力設備の状態および位置を認識可能な情報を示した図である。
【図３】表示制御部５が端末装置８に表示させる地図を示した図である。
【図４】粗度長とバインド断線箇所の関係を示した図である。
【発明を実施するための形態】
【００１４】
本発明の地域特性表示装置は、屋外に設置された設備の状態、および位置を認識可能な情報と、地域特性のデータとに基づいて、状態の分布を地域特性のデータと合わせて地図に重畳させて表示部に表示させる地域特性表示装置である。本実施形態の説明では、設備として電力設備を用いて説明する。
【００１５】
図１は、地域特性表示装置の構成を示した図である。
地域特性表示装置１は、電力設備位置情報データベース２と、入力部３と、地域特性データベース４と、表示制御部５と、通信部６とを備える。また、地域特性表示装置１は、インターネットなどのネットワーク７を介して、表示部を備える端末装置８と接続される。
【００１６】
電力設備位置情報データベース２は、電力設備の状態および位置を認識可能な情報を記憶している。図２は、電力設備の状態および位置を認識可能な情報を示した図である。ここで、本実施形態の地域特性表示装置において、電力設備は一例として、屋外に設置された被覆バインド線である。被覆バインド線の位置とは、被覆バインド線が設置されている場所である。また、被覆バインド線の状態とは、被覆バインド線が設置されてからの年数（所定の年数）経過した後、線切れを起こした故障を表す。図２においては、所定の年数が、５年以下（〜５年）、６年以上１０年以下（６〜１０年）、１１年以上２０年以下（１１〜２０年）、２１年以上（２１年〜）それぞれの場合の被覆バインド線の故障の発生場所を示している。
【００１７】
入力部３は、電力設備位置情報データベース２から被覆バインド線の状態および位置を認識可能な情報を受け付ける。入力部３は、認識可能な情報を表示制御部５に対して出力する。
【００１８】
地域特性データベース４は、本実施形態において粗度長分布図における粗度長（地域特性のデータ）を記憶しているデータベースである。粗度長とは平面の空気力学的な抵抗を示す指標であり、粗度長が大きいほど空気抵抗が大きくなり風速が小さくなる。また、粗度長が小さいほど空気抵抗が大きくなり風速が大きくなる（風が流れやすくなる）。
【００１９】
表示制御部５には、地域特性データベース４から粗度長分布図における粗度長が入力される。表示制御部５は、被覆バインド線の線切れを起こした故障および故障の発生場所を認識可能な情報と、粗度長分布図における粗度長とに基づいて、被覆バインド線の線切れの分布を粗度長と合わせて地図に重畳させた画像を生成し、端末装置８に送信するように通信部６を制御する。
【００２０】
端末装置８は、サーバである地域特性表示装置１とネットワーク７で接続される携帯、タブレット、ＰＣなどの端末装置である。端末装置８は、例えばプラウザ機能によって、地域特性表示装置１へアクセスし、画像を取得して表示する。
【００２１】
図３は、表示制御部５が端末装置８に表示させる地図を示した図である。また、図４は、粗度長とバインド断線箇所の関係を示した図である。
図３に示すように、粗度長が小さいほど被覆バインド線の線切れを起こした故障の発生数が多いことがわかる。また、図４に示すように、粗度長とバインド断線箇所数との相関性が高いことがわかる。すなわち、被覆バインド線の線切れを起こした故障は、風による疲労破断が原因であり、被覆バインド線の強度不足が原因であることがわかった。
【００２２】
本実施形態の地域特性表示装置１により、被覆バインド線（電力設備）の線切れ（故障の状態）および故障の発生場所（位置）を認識可能な情報と、粗度長分布図における粗度長（地域特性のデータ）とに基づいて、被覆バインド線の線切れの分布を粗度長と合わせて地図に重畳させて端末装置８に表示させることを実現した。
【００２３】
これにより、本発明の地域特性表示装置は、表示制御部が、入力部に対して入力された状態および位置を認識可能な情報と、地域特性のデータとに基づいて、状態の分布を地域特性のデータと合わせて地図に重畳させて表示部に表示させるため、電力設備の状態の分布と地域特性とを容易に比較させるための画像を提供することができる。また、地域特性表示装置が、表示部に表示させた表示結果に基づき、電力設備の設計基準を変更するといった評価判断ができるようになる。設計基準の変更とは、例えば、断線箇所を改修するため、他の構造のバインド線（例えば、裸アルミバインド線）を採用する、或いは他の構造のバインド線において、線の直径や材質を変えて硬度を向上させたもの、形状記憶性を有するもの等を採用することをいう。
【００２４】
以上、この発明の実施形態について図面を参照して詳述してきたが、具体的な構成はこの実施形態に限られるものではなく、この発明の要旨を逸脱しない範囲の設計等も含まれる。
例えば、実施形態では、地域特性表示装置１は、通信部６を備え、ネットワーク７を介して端末装置８に画像を表示させる、クラウドサービスの装置である。しかしながら、地域特性表示装置１は、表示制御部５が地図に重畳させた画像を表示する表示部を備える単体の装置であってもよい。
また、電力設備に限定されるものではなく、ガス、水道、通信等の設備を用いても良い。
【産業上の利用可能性】
【００２５】
設備の状態および位置を認識可能な情報と、地域特性のデータとに基づいて、設備の分布を地域特性のデータと合わせて地図に重畳させて表示部に表示させる地域特性表示装置に適用できる。
【符号の説明】
【００２６】
１    地域特性表示装置
２    電力設備位置情報データベース
３    入力部
４    地域特性データベース
５    表示制御部
６    通信部
７    ネットワーク
８    端末装置
【図１】
2016088173.tif 000003
【図４】
2016088173.tif 000004
【図２】
2016088173.tif 000005
【図３】
2016088173.tif 000006
【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
屋外に設置された設備の状態、および位置を認識可能な情報の入力を受け付ける入力部と、
前記入力部に対して入力された状態および位置を認識可能な情報と、地域特性のデータとに基づいて、前記状態の分布を前記地域特性のデータと合わせて地図に重畳させて表示部に表示させる表示制御部と、
を備え、
前記位置は、前記設備が設置されている場所であり、
前記状態は、前記設備が前記位置に設置されてから所定の年数経過した後の故障の状態であり、
前記地域特性のデータは、粗度長分布図における粗度長である、
地域特性表示装置。
【請求項８】
屋外に設置された設備の状態、および位置を認識可能な情報の入力を受け付ける入力部と、
前記入力部に対して入力された状態および位置を認識可能な情報と、地域特性のデータとに基づいて、前記状態の分布を前記地域特性のデータと合わせて地図に重畳させて表示部に表示させる表示制御部と、
を備え、
前記位置は、前記設備が設置されている場所であり、
前記状態は、前記設備が前記位置に設置されてから所定の年数経過した後の故障の状態であり、
前記地域特性のデータは、前記状態の原因となる環境条件のデータである、
地域特性表示装置。
【請求項９】
屋外に設置された設備の状態、および位置を認識可能な情報の入力を受け付ける入力部と、
前記入力部に対して入力された状態および位置を認識可能な情報と、地域特性のデータとに基づいて、前記状態の分布を前記地域特性のデータと合わせて地図に重畳させて表示部に表示させる表示制御部と、
を備え、
前記位置は、前記設備が設置されている場所であり、
前記状態は、前記設備が前記位置に設置されてから所定の年数経過した後の故障の状態である、
地域特性表示装置。
【請求項１０】
入力部が屋外に設置された設備の状態、および位置を認識可能な情報の入力を受け付ける入力工程と、
表示制御部が前記入力部に対して入力された状態および位置を認識可能な情報と、地域特性のデータとに基づいて、前記状態の分布を前記地域特性のデータと合わせて地図に重畳させて表示部に表示させる表示制御工程と、
を備え、
前記位置は、前記設備が設置されている場所であり、
前記状態は、前記設備が前記位置に設置されてから所定の年数経過した後の故障の状態であり、
前記地域特性のデータは、粗度長分布図における粗度長である、
地域特性表示装置の制御方法。
【請求項１１】
入力部が屋外に設置された設備の状態、および位置を認識可能な情報の入力を受け付ける入力工程と、
表示制御部が前記入力部に対して入力された状態および位置を認識可能な情報と、地域特性のデータとに基づいて、前記状態の分布を前記地域特性のデータと合わせて地図に重畳させて表示部に表示させる表示制御工程と、
を備え、
前記位置は、前記設備が設置されている場所であり、
前記状態は、前記設備が前記位置に設置されてから所定の年数経過した後の故障の状態であり、
前記地域特性のデータは、前記状態の原因となる環境条件のデータである、
地域特性表示装置の制御方法。
【請求項１２】
入力部が屋外に設置された設備の状態、および位置を認識可能な情報の入力を受け付ける入力工程と、
表示制御部が前記入力部に対して入力された状態および位置を認識可能な情報と、地域特性のデータとに基づいて、前記状態の分布を前記地域特性のデータと合わせて地図に重畳させて表示部に表示させる表示制御工程と、
を備え、
前記位置は、前記設備が設置されている場所であり、
前記状態は、前記設備が前記位置に設置されてから所定の年数経過した後の故障の状態である、
地域特性表示装置の制御方法。
【国際調査報告】
2016088173.tif 000007
2016088173.tif 000008
2016088173.tif 000009
2016088173.tif 000010